(57)【特許請求の範囲】
【請求項１】
電子機器装置の一部として、挿抜可能なディスク装置を収納する収納部と、上記ディスク装置に取り付けられ、上記収納部に装着された状態で上記ディスク装置を保持する保持部とを有するディスク挿抜装置であって、以下の要素を有することを特徴とするディスク挿抜装置
（１）保持部として、装着状態で上記ディスク装置が揺動する揺動方向に対して突出するように、上記ディスク装置に取り付けられた突起、
（２）収納部の一部として、上記ディスク装置を挿入する際に上記突起をスライドさせるガイドとなるとともに、
挿入方向に向かって収納部の内側に張出すように傾斜し、上記ディスク装置の装着状態で、上記突起を上記揺動方向に対して内側に圧接し、上記ディスク装置を収納部に対して固定するビーム。
【請求項２】
上記ビームは、弾性を有し、収納部の内部に張出す傾斜が小さくなる程、上記突起を上記揺動方向に対して圧する力が大きくなることを特徴とする請求項１記載のディスク挿抜装置。
【請求項３】
上記ビームは、上記ディスク装置の装着状態で、上記突起と接する箇所として、上記ディスク装置のディスク回転軸方向の内向きに、両側から圧する分力を生じさせるとともに、上記揺動方向に対して内側に圧する分力を生じさせる面を有するを特徴とする請求項１記載のディスク挿抜装置。
【請求項４】
上記ビームは、半円形の断面を有することを特徴とする請求項３記載のディスク挿抜装置。
【請求項５】
上記ビームは、三角形の底辺を除く二辺からなる断面を有することを特徴とする請求項３記載のディスク挿抜装置。
【請求項６】
上記ビームは、台形の底辺を除く三辺からなる断面を有することを特徴とする請求項３記載のディスク挿抜装置。
【請求項７】
上記ビームは、弾性を有し、収納部の内部に張出す傾斜が小さくなる程、上記突起を上記揺動方向に対して圧する力が大きくなることを特徴とする請求項３記載のディスク挿抜装置。
【請求項８】
ディスク挿抜装置は、上記収納部に挿入された上記ディスク装置が抜け出すことを防止する抜脱防止部を有することを特徴とする請求項１、又は３のうちいずれかに記載のディスク挿抜装置。
【請求項９】
上記抜脱防止部は、上記ビームと上記突起部の圧接によって生じる抜け出す方向の力に対する抗力を生じさせることを特徴とする請求項８記載のディスク挿抜装置。
【請求項１０】
上記抜脱防止部は、ディスク装置に取り付けられた凸部と、収納部の一部に設けられた凹部または穴部によって構成され、上記凸部が上記凹部または上記穴部に掛かることによって、上記抗力を生じさせることを特徴とする請求項９記載のディスク挿抜装置。
【請求項１１】
上記抜脱防止部は、ディスク装置に取り付けられた凹部または穴部と、収納部の一部に設けられた凸部によって構成され、上記凸部が上記凹部または上記穴部に掛かることによって、上記抗力を生じさせることを特徴とする請求項９記載のディスク挿抜装置。
【請求項１２】
上記突起は、上記ディスク装置の面のうち、上記揺動方向に垂直な面に設けられた取り付け穴に固定されることを特徴とする請求項１記載のディスク挿抜装置。
【請求項１３】
上記ビームは、挿入方向に向かってガイドとしての幅が狭くなり、上記ディスク装置の装着状態で、上記突起を、上記ディスク装置のディスクの回転軸方向に対して両側から圧接することを特徴とする請求項１記載のディスク挿抜装置。
【請求項１４】
上記ディスク挿抜装置は、上記突起として、上記ディスク装置の装着状態で、収納部の奥側で上記ビームにより圧接される奥側突起と、奥側突起よりも突起の高さが高く、突起の幅が広く、収納部の手前側で上記ビームにより圧接される手前側突起との少なくとも二つの突起を有することを特徴とする請求項１３記載のディスク挿抜装置。
【請求項１５】
上記収納部は、上記ビームと対向する面に、上記ビームと対向する同様のビームを有することを特徴とする請求項１または３記載のディスク挿抜装置。
【請求項１６】
上記収納部は、上記ビームと対向する面に、挿入方向に向かうガイドを有することを特徴とする請求項１記載のディスク挿抜装置。
【請求項１７】
上記ディスク挿抜装置は、上記突起として、上記ディスク装置の装着状態で、収納部の奥側で圧接される奥側突起と、収納部の手前側で圧接される手前側突起との少なくとも二つの突起を有し、
更に、上記ビームとして、上記ディスク装置の装着状態で、上記奥側突起を圧接する奥側ビームと、上記手前側突起を圧接する手前側ビームとの少なくとも二つのビームを有することを特徴とする請求項１または３記載のディスク挿抜装置。
【発明の詳細な説明】
【０００１】
【発明の属する技術分野】
本発明は、電子機器装置の一部として、挿抜可能なディスク装置を収納する収納部と、収納部に装着されたディスク装置を保持する保持部とを有するディスク挿抜装置に係り、単純な構成で確実にディスク装置を固定し、振動の影響によるディスク装置の動作不良を防止するディスク挿抜装置に関する。
【０００２】
【従来の技術】
現在のサーバコンピュータに用いられるディスク装置（例えば、ＨＤＤ）は、ＳＣＡインターフェースを備えるものが多い。この為、活線挿抜に対応させるように、プラスチックトレイなどにディスク装置を実装し、ディスクベイに差し込む構成をとっている。図１５に、従来技術におけるディスク挿抜装置の斜視図を示す。また、図１６に従来技術におけるディスク挿抜装置の正面方向の断面図を示す。
１は、収納体（シャーシ）、２は、ディスク装置、９は、収納体側コネクタ（メス）、１０は、ディスク装置側コネクタ（オス）、１１は、角穴、１２は、ストッパ、１３は、トレイ、１４は、１５は、固定ネジ、バックパネル、１０１と１０２は、ガイドである。
【０００３】
トレイ１３は、ガイド１０１、１０２に沿って真っ直ぐにディスク装置２を運び、装着の状態でコネクタ９がコネクタ１０を把持するよう構成されている。
【０００４】
しかし、この例では、トレイとガイドとの間に隙間が生じる等の理由によりディスク装置の固定が不十分となる。このため、ディスク装置は、自己振動や、他に実装されているディスク装置の振動の影響をうけやすくなり、動作が不安定になることが多い。具体的には、振動の影響を受けて、ディスク装置内部のリトライ機構が働き、結果的にリードエラーやライトエラーとなる。
特に近年のディスク装置は、記録密度が高まり、振動による影響を受けやすくなっている。
【０００５】
【発明が解決しようとする課題】
本発明は、上記した従来技術の欠点を除くためになされたものであって、その目的とするところは、活線挿抜に対応するディスク挿抜装置に係り、安定した固定手段を提供することにより、自己振動や、他に実装されているディスク装置による振動の影響を排除し、実装されたディスク装置の動作の安定化を図ることを課題とする。
【０００６】
【課題を解決するための手段】
この発明に係るディスク挿抜装置は、電子機器装置の一部として、挿抜可能なディスク装置を収納する収納部と、上記ディスク装置に取り付けられ、上記収納部に装着された状態で上記ディスク装置を保持する保持部とを有するディスク挿抜装置であって、以下の要素を有することを特徴とする。
（１）保持部として、装着状態で上記ディスク装置が揺動する揺動方向に対して突出するように、上記ディスク装置に取り付けられた突起、
（２）収納部の一部として、上記ディスク装置を挿入する際に上記突起をスライドさせるガイドとなるとともに、
挿入方向に向かって収納部の内側に張出すように傾斜し、上記ディスク装置の装着状態で、上記突起を上記揺動方向に対して内側に圧接し、上記ディスク装置を収納部に対して固定するビーム。
【０００７】
上記ビームは、弾性を有し、収納部の内部に張出す傾斜が小さくなる程、上記突起を上記揺動方向に対して圧する力が大きくなることを特徴とする。
【０００８】
上記ビームは、上記ディスク装置の装着状態で、上記突起と接する箇所として、上記ディスク装置のディスク回転軸方向の内向きに、両側から圧する分力を生じさせるとともに、上記揺動方向に対して内側に圧する分力を生じさせる面を有するを特徴とする。
【０００９】
上記ビームは、半円形の断面を有することを特徴とする。
【００１０】
上記ビームは、三角形の底辺を除く二辺からなる断面を有することを特徴とする。
【００１１】
上記ビームは、台形の底辺を除く三辺からなる断面を有することを特徴とする。
【００１２】
上記ビームは、弾性を有し、収納部の内部に張出す傾斜が小さくなる程、上記突起を上記揺動方向に対して圧する力が大きくなることを特徴とする。
【００１３】
また、ディスク挿抜装置は、上記収納部に挿入された上記ディスク装置が抜け出すことを防止する抜脱防止部を有することを特徴とする。
【００１４】
上記抜脱防止部は、上記ビームと上記突起部の圧接によって生じる抜け出す方向の力に対する抗力を生じさせることを特徴とする。
【００１５】
上記抜脱防止部は、ディスク装置に取り付けられた凸部と、収納部の一部に設けられた凹部または穴部によって構成され、上記凸部が上記凹部または上記穴部に掛かることによって、上記抗力を生じさせることを特徴とする。
【００１６】
上記抜脱防止部は、ディスク装置に取り付けられた凹部または穴部と、収納部の一部に設けられた凸部によって構成され、上記凸部が上記凹部または上記穴部に掛かることによって、上記抗力を生じさせることを特徴とする。
【００１７】
上記突起は、上記ディスク装置の面のうち、上記揺動方向に垂直な面に設けられた取り付け穴に固定されることを特徴とする。
【００１８】
上記ビームは、挿入方向に向かってガイドとしての幅が狭くなり、上記ディスク装置の装着状態で、上記突起を、上記ディスク装置のディスクの回転軸方向に対して両側から圧接することを特徴とする。
【００１９】
上記ディスク挿抜装置は、上記突起として、上記ディスク装置の装着状態で、収納部の奥側で上記ビームにより圧接される奥側突起と、奥側突起よりも突起の高さが高く、突起の幅が広く、収納部の手前側で上記ビームにより圧接される手前側突起との少なくとも二つの突起を有することを特徴とする。
【００２０】
上記収納部は、上記ビームと対向する面に、上記ビームと対向する同様のビームを有することを特徴とする。
【００２１】
上記収納部は、上記ビームと対向する面に、挿入方向に向かうガイドを有することを特徴とする。
【００２２】
上記ディスク挿抜装置は、上記突起として、上記ディスク装置の装着状態で、収納部の奥側で圧接される奥側突起と、収納部の手前側で圧接される手前側突起との少なくとも二つの突起を有し、
更に、上記ビームとして、上記ディスク装置の装着状態で、上記奥側突起を圧接する奥側ビームと、上記手前側突起を圧接する手前側ビームとの少なくとも二つのビームを有することを特徴とする。
【００２３】
【発明の実施の形態】
実施の形態１．
以下本発明を図面に示す実施例に基づいて説明する。図１は、実施の形態１におけるディスク挿抜装置の斜視図である。
１は、収納体（シャーシ）、２は、ディスク装置、３は、手前側突起、４は、奥側突起、５は、手前側突起、６は、奥側突起、７は、上面のビーム、８は、下面のビーム、９は、収納体側のコネクタ（メス）、１０は、ディスク装置側のコネクタ（オス）、１１は、角穴、１２は、ストッパ、１３は、トレイ、１４は、バックパネル、１５は、固定ネジである。
【００２４】
収納体１は、電子機器装置（例えば、サーバコンピュータ装置）の一部として、挿抜可能なディスク装置２を収納するように構成されている。収納体１は、背面にバックパネル１４を有し、バックパネル１４には、ディスク装置２と電気的に接合する為のコネクタ９が設けられている。
【００２５】
また、上面には、ビーム７が設けられ、下面には、ビーム８が設けられている。ビーム７とビーム８は、対を成し、ディスク装置２に取り付けられた突起３〜６を誘導するガイドの機能と、突起３〜６を圧接してディスク装置２を固定する機能を有している。電子機器装置の拡張性やメンテナンス性の要求により、複数のディスク装置２を装着できるように構成されている例が多い。但し、単数のディスク装置２を装着する場合においても本発明は有効で有る。
【００２６】
図２は、実施の形態１における収納部の平面図である。図に示すように、ビーム７は挿入方向に向かってガイドとしての幅が狭くなっている。これにより、押し込まれた突起を両側から圧接することができる。
【００２７】
図３は、実施の形態１におけるディスク挿抜装置の側面方向の断面図である。図に示すように、ビーム７は、挿入方向に向かって収納部１の内側に張出すように傾斜している。これにより、装着状態で、突起３、４を揺動方向（この図では、垂直方向）に対して内側に圧接することができる。ビーム８と、突起５、６の関係も同様である。ビーム７は、通常収納体１であるシャーシの上面を切り抜き、プレスにより塑性加工を施すことにより生成され、生産コストも低く抑えられる。また、弾性を有する材料を用いて構成される。従って、収納部１の内部に張出す傾斜が小さくなる程、突起を圧する力が大きくなる。
【００２８】
図４は、実施の形態１におけるディスク挿抜装置の正面方向の断面図である。図に示すように、ビーム７とビーム８は対向し、それぞれ手前側突起３と手前側突起５に圧力を加える。
【００２９】
次に、ディスク装置２について説明する。
ディスク装置２は、電子機器装置に電気的に接続される。そのため、コネクタ９により把持され、導体同士が接続されるコネクタ１０を有する。
【００３０】
また、挿抜の際に作業者が、抜き差し動作するために、ディスク装置２は、トレイ１３に固定されている。更に、装着状態においてディスク装置２を収納体１内に保持するための突起３〜６が取り付けられている。
【００３１】
図５は、実施の形態１におけるトレイ及び突起の取り付け指示図である。ディスク装置２には、予め取り付け用のネジ穴１６〜１８が設けられている。トレイ１３は、図に示すように、ネジ穴１６に対して固定ネジ１５を用いて固定される。また、手前側突起３は、ネジ穴１７に取り付けられ、奥側突起４は、ネジ穴１８に取り付けられる。また、反対の面にも同様に、手前側突起５と奥側突起６が取り付けられる。
【００３２】
また、本ディスク挿抜装置には、抜脱防止部が設けられている。この例では、収納体１に設けられた角穴１１と、トレイ１３に設けられたストッパ１２（凸部）により構成されている。角穴１１の代りに凹部であっても構わない。ストッパ１２は、挿着状態で角穴１１あるいは凹部に掛かるように構成されている。これによりディスク装置２が抜け出すことを防止することができる。
この例とは逆に、トレイ１３に穴部あるいは凹部を設け、収納体１に凸部を設け、収納体１の凸部が、トレイ１３の穴部あるいは凹部に掛かるようにしても同様の効果を有することできる。また、抜脱防止部はこれらの構成に限らず、挿着状態において相対的に収納体１からディスク装置２が抜け出す方向の力に抗するものであれば有効である。
【００３３】
ディスク装置２を挿入する作業について説明する。作業者はトレイ１３の取っ手部分を持って、まず奥側突起４をビーム７の内側にあてがい、同様に奥側突起６をビーム８の内側に入れる。
【００３４】
この状態で、ビーム７とビーム８に、奥側突起４と奥側突起６を沿わせ、ディスク装置２を収納体１の奥の方に押し込む。
【００３５】
収納部１の内部に張出す傾斜が小さくなる程、ビーム７が突起を揺動方向に対して圧する力が大きくなるので、挿入に伴う抵抗力は、挿入の初期段階では小さい。従って、初期段階において、ガイドに沿わせる動作を行いやす。つまり、多少ねじれた状態や、横にずれた状態からでも容易にガイドに沿わせる動作を開始でき、正常に挿入できる軌道の範囲が広くなる。また、ガイドを外れて挿入する場合に生じる抵抗力を、正常時には生じない違和感として認知しやすい。これにより、挿入作業が容易になる。また、抜き取る際の作業もしやすくなる。
【００３６】
最終段階では、コネクタ１０がコネクタ９と噛み合い、把持される。同時に、ストッパ１２が角穴１１に入り込み、引っ掛かる。これにより、挿入作業が完了する。このとき、突起３〜６は、ディスク装置２を収納体１の内部に保持する役割を果す。
【００３７】
この状態で、ディスク装置２を動作させると、ディスク装置２内部の動作に伴い、コネクタ９とコネクタ１０の接合部分を中心に、上下方向に揺動が生じる。
【００３８】
図６は、実施の形態１における圧接部分の側面方向の拡大図である。図示されている平面内においては、ビーム７により手前側突起３および奥側突起４に圧力２１、２２が加えらている。図に示すように、ビーム７が収納体１の内側に傾いている場合には、圧力２１、２２は手前に傾いて生じる。従って、揺動を抑えるように加わる垂直な分力２３、２５の他に、押し出す方向の分力２４、２６が加わる。
従って、ディスク装置は、自身の揺動に伴い徐々に抜け出し、コネクタ部分の電気的接合が保てなくる問題があるが、本発明においては、抜脱防止部を有するのでこのような不具合を防止できる。
【００３９】
図７は、実施の形態１における圧接部分の正面方向の拡大図である。図示されている平面内においては、ビーム７が手前側突起３に圧力を加えている。ビーム７と手前側突起３の曲率が同じであるとすると両者は線状に接し、その線上の各点に圧力が加わる。
【００４０】
例えば、接線の傾きが４５度となる接点付近では、３１に示すような圧力が加わる。この圧力３１は、垂直方向の分圧３２と、水平方向の分圧３３に分けられる。分圧３２は、揺動を抑えるように加わる成分であるが、分圧３３は、手前側突起３を中心線の方へ抑える力となる。このような力は左右対象に加わるため、両側から圧することになる。また、手前側突起３が横へずれた場合には、そのずれを戻す方向の分圧の大きさが大きくなり、元の位置に戻す作用が働く。
このように、垂直方向の分圧３２は、揺動方向に対して内側に突起を圧する分力を生じさせ、水平方向の分圧３３は、ディスク回転軸方向の内向きに両側から突起を圧する分力を生じさせる。
【００４１】
特に、ディスク回転軸方向の内向きに両側から突起を圧する分力は、ディスク装置の動作に伴い生じる長手方向のねじれや、横ずれを防止し得る。これによりコネクタに対する物理的負荷を軽減できる。
【００４２】
接線の接線の傾きが９０度となる接点付近では、摩擦力を除き、ビーム７から垂直方向の力は加わらない。但し、ガイドとしての幅が手前側突起３の幅と等しい為、手前側突起３を横にずらそうとする力が働いた場合には、抗力を生じさせる。従って、微小な変位に対しても元へ戻す力が生じる。
【００４３】
前述の抜脱防止部は、ディスク装置が抜け出す方向の力に対する抗力を生じさせるので、ビームから高い圧力を加えることが可能になり、ディスク装置をより安定させることが可能となる。その際、揺動方向のみならず、ディスクの回転軸方向の分圧も高めることが可能となり、ねじれ等の防止も確実になる。
【００４４】
実施の形態２．
前述の実施の形態では、ビームは半円形の断面を有し、突起はそのビームと半円状の連続した接点を持つように曲率を適合させた半球の頭部を有する場合を例として説明した。
本実施の形態では、多様なビームの形体および突起の形体について説明し、さらに、それらを組み合せた場合の作用について説明する。
【００４５】
図８は、ビームの形状を示す図である。各ビームの正面図と側面図を示している。４１は、前述の実施の形態で用いたビームと同様に半円形の断面を有している。４２は、三角形の底辺を除く二辺からなる断面を有している。４３は、台形の底辺を除く三辺からなる断面を有している。
【００４６】
各ビームは、収納体の内側に傾斜し、更にガイドとしての幅が先細りになっている点において共通している。但し、先細りになっていない場合であっても、装着状態において突起が横にずれなければ、ディスク装置を固定でき、有効である。
【００４７】
図９は、突起の形状を示す図である。各突起は、回転体である。また下部に固定用のネジを備えている。５１と５２は、半球状の頭部を有し、５３は平面の頭部を有している。５１は、側面が垂直であり、５２と５３は、裾が広がった袴状の側面を有している。これらの突起は、例であり、回転体以外であっても構わない。また、頭部の形状もこれらの例に限らない。
【００４８】
次にこれらの組合わせについて説明する。図に例を示す。図１０は、実施の形態２におけるビームと突起の組合わせの第一の例を示す図である。図１１は、実施の形態２におけるビームと突起の組合わせの第二の例を示す図である。
これらの例では、突起は、内側に傾いたビームの側面部分から内側に傾いた圧力を受ける。従って、垂直方向の分力と、水平方向の分力を受けることになり、実施の形態１と同様の作用及び効果を奏する。
【００４９】
尚、突起の高さが異なると、ビームの変位も異なり、加わる圧力も変る。従って、突起の高さにより、圧力を調整することができる。両側から挟み込む方向の分圧も調整できる。
【００５０】
実施の形態３．
収納部のビームと対向する面に、挿入方向に向かうガイドを設ける形態について説明する。
【００５１】
図１２は、実施の形態３におけるディスク挿抜装置の正面方向の断面図である。ガイドの構成は、従来のガイドの構成と同様でよい。ガイドは、弾性を有せず、圧力を受けても変位しない。
【００５２】
収納部１内の対向する面にガイドを有するので、少なくとも三点においてディスク装置を固定する。従って、ディスク平面内の正及び負の回転モーメントに抗することができ、コネクタに対する物理的な負荷を軽減することが可能となる。また、ガイドはビームの圧力により生じるディスク装置からの圧力により変位しないので、ガイドを基準としてディスク装置のコネクタ１０の位置を特定でき、接合におけるコネクタ９、１０同士の位置関係の精度を高めることができる。
【００５３】
実施の形態４．
収納体は、ビームとして、奥側突起を圧接する奥側ビームと、手前側突起を圧接する手前側ビームとを有する形態について説明する。
【００５４】
図１３は、実施の形態４における収納部の平面図である。図１４は、実施の形態４における収納部の側面方向の断面図である。
【００５５】
装着されるディスク装置２、トレイ１３、及び突起３〜６は、実施の形態１と同様である。ディスク装置２の装着状態で、収納部１の奥側にある奥側ビーム１６は、奥側突起４を圧接し、収納部１の手前側にある手間側ビーム１７は、手前側突起３を圧接する。
【００５６】
一つのビームで二つの突起を固定する場合は、形状の誤差により一方の圧力が高まると、他方の圧力は低くなり、互いに影響し合う。しかし、本実施の形態では、奥側突起と手前側突起とを設け、別個のビームにより圧力を加えるので、同一のビームにより圧接する場合に比べて、突起やビームの形状誤差に起因する圧力の誤差が小さくなる。
【００５７】
以上の例では、垂直にディスク装置を装着する場合について説明したが、水平に装着する場合であっても本発明は有効である。
【００５８】
【発明の効果】
本発明においては、揺動方向に対して突出するように取り付けられた突起を、ガイドを兼ねるビームによって圧接するので、簡単な構成により、ディスク装置を収納部に対して密着状態で固定し、揺動によるディスク装置への影響を排除し得る。
【００５９】
ビームの弾性により、収納部の内部に張出す傾斜が小さくなる程、突起を揺動方向に対して圧する力が大きくなるので、挿入に伴う抵抗力は、挿入の最終段階で大きくなり、挿入の初期段階では小さい。従って、初期段階において、ガイドに沿わせる動作を行いやすく、またガイドを外れて挿入する場合に生じる抵抗力を、正常時には生じない違和感として認知しやすい。このため、正常な軌跡から外れた誤挿入動作を防止できる。
また、突起の高さを変えることによって、圧力を調整することができる。
【００６０】
また、ビームは突起に対して、ディスク回転軸方向の内向きに、両側から圧する分力を生じさせる面を有するので、ディスク装置のねじれや、横ずれを防止し得る。揺動により、ディスク装置に長手方向を軸とした回転モーメントが生じる場合や、回転軸方向への重心の移動が生じる場合には、特に有効である。ねじれや横ずれ等の微動を防止することにより、ディスク装置の動作を安定させるとともに、コネクタに対する負荷を軽減し、電気的接合を安定させる。さらには、コネクタの構成を単純化することに役立つ。
【００６１】
ビームは、半円形の断面を有するので、上述の両側から圧する分力を生じさせることができる。
【００６２】
ビームは、三角形の底辺を除く二辺からなる断面を有するので、上述の両側から圧する分力を生じさせることができる。
【００６３】
ビームは、台形の底辺を除く三辺からなる断面を有するので、上述の両側から圧する分力を生じさせることができる。
【００６４】
ビームの弾性により、収納部の内部に張出す傾斜が小さくなる程、突起を揺動方向に対して圧する力が大きくなるので、突起を両側から圧する分力も、挿入の最終段階で大きくなり、挿入の初期段階では小さい。従って、初期段階では、多少ねじれた状態や、横にずれた状態からでも容易にガイドに沿わせる動作を開始でき、更に最終段階では、所定の位置に固定できる。このように、正常に挿入できる軌道の範囲が広くなり、挿入作業が容易になる。また、抜き取る際の作業もしやすくなる。
さらに、突起の高さを変えることによって、ディスクの回転軸方向の圧力を調整することもできる。
【００６５】
装着状態においてビームが内側に傾斜している場合には、ビームはディスク装置を押し出す方向の分力を生じさせる。このため、ディスク装置は、自身の揺動に伴い徐々に抜け出し、コネクタ部分の電気的接合が保てなくる不具合が生じ得る。本発明においては、抜脱防止部を有するのでこのような不具合を防止できる。
【００６６】
更に、抜脱防止部は抜け出す方向の力に対する抗力を生じさせるので、ビームにより高い圧力を加えることが可能になり、ディスク装置をより安定させることが可能となる。その際、揺動方向のみならず、回転軸方向の分圧も高めることも可能となり、ねじれ等の防止も確実になる。
【００６７】
また、ディスク装置に取り付けられた凸部と、収納部の一部に設けられた凹部または穴部とをかみ合わせるので、上記抗力を生じさせることができる。
【００６８】
また、ディスク装置に取り付けられた凹部または穴部と、収納部の一部に設けられた凸部とをかみ合わせるので、上記抗力を生じさせることができる。
【００６９】
突起は、予め取り付けを想定して設けられている取り付け穴に固定されるので、ディスク装置をその特性に応じて安定させることができる。また、ビームとディスクとを結ぶ間隔が短いので、保持部自身の伸縮や変形による揺れの影響が生じなくなる。
【００７０】
ビームは、挿入方向に向かってガイドとしての幅が先細り、装着状態で突起を回転軸方向に対して両側から圧接する。従って、ディスク装置のねじれや横ずれを防止することができる。
【００７１】
奥側突起と手前側突起とを設けたので、揺動をより大きな力で止めることができる。
【００７２】
収納部内の対向する面に同様のビームを有するので、四点においてディスク装置を固定できる。従って、ディスク平面内の正及び負の回転モーメントに抗することができ、コネクタに対する物理的な負荷を軽減することが可能となる。
【００７３】
収納部内の対向する面に同様のガイドを有するので、少なくとも三点においてディスク装置を固定する。従って、ディスク平面内の正及び負の回転モーメントに抗することができ、コネクタに対する物理的な負荷を軽減することが可能となる。また、ガイドは、ビームの圧力により生じるディスク装置からの圧力により変位しないので、ガイドを基準としてディスク装置のコネクタ位置を特定でき、接合におけるコネクタ同士位置関係の精度を高めることができる。
【００７４】
奥側突起と手前側突起とを設け、別個のビームにより圧力を加えるので、同一のビームにより圧接する場合に比べて、突起やビームの形状誤差に起因する圧力の誤差が小さくなる。
【図面の簡単な説明】
【図１】実施の形態１におけるディスク挿抜装置の斜視図である。
【図２】実施の形態１における収納部の平面図である。
【図３】実施の形態１におけるディスク挿抜装置の側面方向の断面図である。
【図４】実施の形態１におけるディスク挿抜装置の正面方向の断面図である。
【図５】実施の形態１におけるトレイ及び突起の取り付け指示図である。
【図６】実施の形態１における圧接部分の側面方向の拡大図である。
【図７】実施の形態１における圧接部分の正面方向の拡大図である。
【図８】ビームの形状を示す図である。
【図９】突起の形状を示す図である。
【図１０】実施の形態２におけるビームと突起の組合わせの第一の例を示す図である。
【図１１】実施の形態２におけるビームと突起の組合わせの第二の例を示す図である。
【図１２】実施の形態３におけるディスク挿抜装置の正面方向の断面図である。
【図１３】実施の形態４における収納部の平面図である。
【図１４】実施の形態４における収納部の側面方向の断面図である。
【図１５】従来技術におけるディスク挿抜装置の斜視図である。
【図１６】従来技術におけるディスク挿抜装置の正面方向の断面図である。
【符号の説明】
１  収納体（シャーシ）、２  ディスク装置、３  手前側突起、４  奥側突起、５  手前側突起、６  奥側突起、７  上面のビーム、８  下面のビーム、９  収納体側のコネクタ（メス）、１０  ディスク装置側のコネクタ（オス）、１１角穴、１２  ストッパ、１３  トレイ、１４  バックパネル、１５  固定ネジ、１０１，１０２  ガイド。
【図１】
0003544937.tif 000002
【図２】
0003544937.tif 000003
【図３】
0003544937.tif 000004
【図４】
0003544937.tif 000005
【図５】
0003544937.tif 000006
【図６】
0003544937.tif 000007
【図７】
0003544937.tif 000008
【図８】
0003544937.tif 000009
【図９】
0003544937.tif 000010
【図１０】
0003544937.tif 000011
【図１１】
0003544937.tif 000012
【図１２】
0003544937.tif 000013
【図１３】
0003544937.tif 000014
【図１４】
0003544937.tif 000015
【図１５】
0003544937.tif 000016
【図１６】
0003544937.tif 000017